【手続補正書】
【提出日】平成17年11月21日(2005.11.21)
【手続補正１】
【補正対象書類名】特許請求の範囲
【補正対象項目名】全文
【補正方法】変更
【補正の内容】
【特許請求の範囲】
【請求項１】
第一ひだ付け可能基層（１２）及び前記第一ひだ付け可能基層に多数の第一固定部位（１６）で固定されたマルチストランド弾性糸（１４）を含んでなる伸縮性ウエブ（１０）であって、各第一固定部位で前記第一ひだ付け可能基層（１２）の一部分が前記マルチストランド弾性糸のストランド（１８）の間を通過している伸縮性ウエブ（１０）。
【請求項２】
前記第一ひだ付け可能基層（１２）が熱で結合可能な材料を含み、そして前記第一ひだ付け可能基層の前記一部分が前記ひだ付け可能基層の溶融される成分を含む請求項１に記載の伸縮性ウエブ（１０）。
【請求項３】
前記第一ひだ付け可能基層の領域（２２）が前記マルチストランド弾性糸（１４）の上に折り重ねられて前記マルチストランド弾性糸が入り込むポケット（２４）を形成する請求項１又は２に記載の伸縮性ウエブ（１０）。
【請求項４】
二つのひだ付け可能基層（１２）及び前記二つのひだ付け可能基層の間に配置されたマルチストランド弾性糸（１４）を含んでなり、前記マルチストランド弾性糸が前記二つのひだ付け可能基層に多数の第一固定部位（１６）で固定されている伸縮性ウエブ（１０）であって、前記二つのひだ付け可能基層が各第一固定部位で接合されるように各第一固定部位で前記二つの基層の少なくとも一方の一部分が前記マルチストランド弾性糸のストランド（１８）の間を通過している伸縮性ウエブ（１０）。
【請求項５】
前記二つのひだ付け可能基層（１２）の少なくとも一方が熱で結合可能な材料を含み、そして前記二つの基層の少なくとも一方の前記一部分が、前記熱で結合可能な材料を含む前記二つのひだ付け可能基層の前記少なくとも一方の溶融される成分を含んでいる請求項４に記載の伸縮性ウエブ（１０）。
【請求項６】
前記二つのひだ付け可能基層（１２）の両方が熱で結合可能な材料を含んでいる請求項５に記載の伸縮性ウエブ（１０）。
【請求項７】
前記ウエブが、前記マルチストランド弾性糸（１４）と界接する領域に前記二つのひだ付け可能基層（１２）の間の熱で結合される複数の接合点を含んでいる請求項４〜６のいずれか一つに記載の伸縮性ウエブ（１０）。
【請求項８】
前記ウエブが少なくとも一つの別の基層（１２ｂ）を含んでいる請求項４〜７のいずれか一つに記載の伸縮性ウエブ（１０）。
【請求項９】
前記少なくとも一つの別の基層（１２ｂ）が、前記二つのひだ付け可能基層の一方（１２ａ）と前記二つのひだ付け可能基層の前記一方（１２ａ）の平面内で隣接してこれらの基層が前記二つのひだ付け可能基層の他方（１２）に重なっている請求項８に記載の伸縮性ウエブ（１０）。
【請求項１０】
前記熱で結合可能な材料が、ポリエステル、ポリプロピレン、ポリエチレンなどで製造されたスパンボンド式、乾式、湿式、水絡合式、ニードル式、カード式又はメルトブロー式の不織材料からなる群から選択される請求項２又は請求項５〜９のいずれか一つに記載の伸縮性ウエブ（１０）。
【請求項１１】
前記熱で結合可能な材料が、ポリマーの組合わせであり、好ましくはポリエチレンおよびポリプロピレンの混合物もしくは層又は複合繊維である請求項２又は請求項５〜９のいずれか一つに記載の伸縮性ウエブ（１０）。
【請求項１２】
前記熱で結合可能な材料が、シート又はフィルムの形態の熱可塑性ポリウレタンエラストマーである請求項２又は請求項５〜９のいずれか一つに記載の伸縮性ウエブ（１０）。
【請求項１３】
第一固定部位（１６）の前記数が２以上であり、そして前記第一固定部位が前記マルチストランド弾性糸にそって０．２〜２５ｍｍ、好ましくは０．２〜１０ｍｍ、より好ましくは０．５〜５ｍｍ、そして最も好ましくは０．５ｍｍ〜３ｍｍの間隔を取って配置されている請求項１〜１２のいずれか一つに記載の伸縮性ウエブ（１０）。
【請求項１４】
前記基層（１２）の１又は２以上の坪量が、５〜８０ｇ／ｍ２、好ましくは１０〜４０ｇ／ｍ２、より好ましくは１０〜３０ｇ／ｍ２、そして最も好ましくは１５〜２５ｇ／ｍ２である請求項１〜１３のいずれか一つに記載の伸縮性ウエブ（１０）。
【請求項１５】
複数の前記マルチストランド弾性糸（１４）を含んでいる請求項１〜１４のいずれか一つに記載の伸縮性ウエブ（１０）。
【請求項１６】
前記複数のマルチストランド弾性糸（１４）が、異なる大きさの張力のかかっている弾性糸を含んでいる請求項１５に記載の伸縮性ウエブ（１０）。
【請求項１７】
前記複数のマルチストランド弾性糸（１４）が、実質的に直線でありかつ互いにほぼ平行である請求項１５又は１６に記載の伸縮性ウエブ（１０）。
【請求項１８】
前記複数のマルチストランド弾性糸（１４）が、湾曲経路をたどる請求項１５又は１６に記載の伸縮性ウエブ（１０）。
【請求項１９】
前記ひだ付け可能基層（１２、１２ａ、１２ｂ）の内の少なくとも一つが弾性積層体である請求項１〜１８のいずれか一つに記載の伸縮性ウエブ（１０）。
【請求項２０】
請求項１〜１９のいずれか一つに記載の伸縮性ウエブ（１０）を含む使い捨て吸収物品。
【請求項２１】
前記物品が生理用ナプキン又はパンティーシールドである請求項２０に記載の物品。
【請求項２２】
吸収構造体（５６）を含み、その吸収構造体（５６）が縦軸線（Ｌ）の回りを延びかつその吸収構造体を前部末端領域（６０）で終わる前パネル（５８）と後部末端領域（６４）で終わる後パネル（６２）に分割する横軸線（Ｔ）を有し、前記前部末端領域と前記後部末端領域の間を延びる股領域（６６）を有し、そして向かい合った縦端縁（６８）と向かい合った横端縁（７０）によって画定されている着用者の腰の周りに取り付ける使い捨て吸収物品（５４）であって、前記吸収構造体が、請求項１〜１９のいずれか一つに記載の伸縮性ウエブを含有しかつ少なくとも一つのひだ付け可能基層（１２）と少なくとも一つのマルチストランド弾性糸（１４）を含む少なくとも一つの領域（８８，９０，９２，９４，９６）を含んでいることを特徴とする使い捨て吸収物品（５４）。
【請求項２３】
前記少なくとも一つのマルチストランド弾性糸（１４）が前記横軸線（Ｔ）に平行な成分を有する方向に延びる請求項２２に記載の物品。
【請求項２４】
前記少なくとも一つのマルチストランド弾性糸（１４）が、前記吸収構造体（５６）の前記前部末端領域（６０）及び／又は前記後部末端領域（６４）の腰弾性構造体（９８）の少なくとも一部分を構成している請求項２３に記載の物品。
【請求項２５】
前記腰弾性構造体（９８）が前記伸縮性ウエブを含み、前記伸縮性ウエブの前記少なくとも一つのひだ付け可能基層が前記吸収構造体（５６）のバックシート（７６）である請求項２４に記載の物品。
【請求項２６】
前記腰弾性構造体（９８）が前記伸縮性ウエブを含み、前記伸縮性ウエブの前記少なくとも一つのひだ付け可能基層は数が２でありかつ前記吸収構造体（５６）の前記バックシート（７６）とトップシート（７４）で構成されている請求項２４に記載の物品。
【請求項２７】
前記少なくとも一つのマルチストランド弾性糸（１４）が前記縦軸線（Ｌ）に平行な成分を有する方向に延びる請求項２２〜２６のいずれか一つに記載の物品。
【請求項２８】
前記少なくとも一つのマルチストランド弾性糸（１４）が前記吸収構造体（５６）の前記股領域（６６）内の脚部弾性構造体（１００）の少なくとも一部分を構成している請求項２７に記載の物品。
【請求項２９】
前記脚部弾性構造体（１００）が前記伸縮性ウエブを含み、前記伸縮性ウエブの前記少なくとも一つのひだ付け可能基層が前記吸収構造体（５６）のトップシート（７４）である請求項２８に記載の物品。
【請求項３０】
前記脚部弾性構造体（１００）が前記伸縮性ウエブを含み、前記伸縮性ウエブの前記少なくとも一つのひだ付け可能基層は数が２でありかつ前記吸収構造体（５６）のバックシート（７６）と前記トップシート（７４）で構成されている請求項２９に記載の物品。
【請求項３１】
前記少なくとも一つのマルチストランド弾性糸（１４）が前記吸収構造体（５６）の前記股領域（６６）内の立体ひだ構造体（１０２）の少なくとも一部分を構成している請求項２７〜３０のいずれか一つに記載の物品。
【請求項３２】
前記立体ひだ構造体（１０２）が前記伸縮性ウエブを含み、前記伸縮性ウエブの前記少なくとも一つのひだ付け可能基層が前記吸収構造体（５６）のトップシート（７４）である請求項３１に記載の物品。
【請求項３３】
前記少なくとも一つのマルチストランド弾性糸（１４）が前記吸収構造体（５６）の前記股領域（６６）内の股弾性構造体（１０４）の少なくとも一部分を構成している請求項２３〜３２のいずれか一つに記載の物品。
【請求項３４】
前記股弾性構造体（１０４）が前記伸縮性ウエブを含み、前記伸縮性ウエブの前記少なくとも一つのひだ付け可能基層が前記吸収構造体（５６）のバックシート（７６）である請求項３３に記載の物品。
【請求項３５】
前記物品が小児おむつ、成人おむつ、ショーツ形おむつ、ベルト付き吸収物品及び失禁衣料からなる群から選択される請求項２２〜３４のいずれか一つに記載の物品。
【請求項３６】
第一ひだ付け可能基層（１２）及び前記第一ひだ付け可能基層に多数の第一固定部位（１６）で固定されたマルチストランド弾性糸（１４）を含んでなる伸縮性ウエブ（１０）の製造方法であって、
前記マルチストランド弾性糸が張力で延伸されるようにその弾性糸を前記第一ひだ付け可能基層に導入し、
前記マルチストランド弾性糸と前記第一ひだ付け可能基層を各第一固定部位にて前記マルチストランド弾性糸の少なくとも一部分を離層させるのに十分なエネルギー源（３８）に暴露し、次に
前記第一ひだ付け可能基層の一部分に各第一固定部位にて前記マルチストランド弾性糸のストランド（１８）の間を通過させる、
ステップを含む方法。
【請求項３７】
第一ひだ付け可能基層（１２）、第二ひだ付け可能基層（１２）、及び前記第一ひだ付け可能基層と第二ひだ付け可能基層に多数の第一固定部位（１６）で固定されたマルチストランド弾性糸（１４）を含んでなる伸縮性ウエブ（１０）の製造方法であって、
前記マルチストランド弾性糸が張力で延伸されかつ前記ひだ付け可能基層の間を通過するように前記マルチストランド弾性糸を前記第一ひだ付け可能基層と第二ひだ付け可能基層に導入し、
前記マルチストランド弾性糸と前記ひだ付け可能基層を各第一固定部位にて前記マルチストランド弾性糸の少なくとも一部分を離層させるのに十分なエネルギー源（３８）に暴露し、次に
前記第一ひだ付け可能基層と第二ひだ付け可能基層の少なくとも一方の一部分に各第一固定部位にて前記マルチストランド弾性糸のストランド（１８）の間を通過させる、
ステップを含む方法。
【請求項３８】
前記マルチストランド弾性糸（１４）が、その未延伸の長さから２５％〜５００％延伸され、好ましくは５０％〜４００％、より好ましくは７５％〜３５０％、そして最も好ましくは約２００％延伸される請求項３６又は３７に記載の方法。
【請求項３９】
前記第一及び／又は第二のひだ付け可能基層（１２）の少なくとも一方の一部分に各第一固定部位（１６）で前記マルチストランド弾性糸（１４）のストランド（１８）の間を通過させるステップの後、前記マルチストランド弾性糸の張力を解除する請求項３６〜３８のいずれか一つに記載の方法。
【請求項４０】
前記エネルギー源（３８）が加圧手段及び／又は熱発生手段を備えている請求項３６〜３９のいずれか一つに記載の方法。
【請求項４１】
前記エネルギー源（３８）がさらに、少なくとも前記第一ひだ付け可能基層（１２）の一部分に各第一固定部位（１６）で前記マルチストランド弾性糸のストランド（１８）の間を通過させる変位手段を備えている請求項４０に記載の方法。
【請求項４２】
前記エネルギー源（３８）が超音波のエネルギー源を含んでいる請求項３６〜４１のいずれか一つに記載の方法。
【請求項４３】
前記第一及び／又は第二のひだ付け可能基層（１２）の前記一部分に、単一もしくは複数のひだ付け可能基層それぞれの熱で結合可能な成分を溶融させることによって前記マルチストランド弾性糸（１６）のストランド（１８）の間を通過させる請求項３６〜４２のいずれか一つに記載の方法。
【請求項４４】
前記溶融が前記超音波のエネルギー源（３８）を使って達成される請求項４２に従属している請求項４３に記載の方法。
【請求項４５】
前記マルチストランド弾性糸を、第一ひだ付け可能基層又は前記第一と第二のひだ付け可能基層に導入するステップが、前記マルチストランド弾性糸が可変張力で延伸されるように前記マルチストランド弾性糸を導入することを含み、前記可変張力が選択された第一固定部位の間で変えられる請求項３６〜４３のいずれか一つに記載の方法。
【請求項４６】
第一ひだ付け可能基層（１２）及び前記第一ひだ付け可能基層に多数の第一固定部位（１６）で固定されたマルチストランド弾性糸（１４）を含んでなる伸縮性ウエブ（１０）を製造する装置（３０）であって、
固定ステーション（３２）、
前記第一ひだ付け可能基層（１２）を前記固定ステーションに供給する第一供給手段（３４）、
前記マルチストランド弾性糸（１４）に前記固定ステーションで張力がかかるように前記マルチストランド弾性糸を前記固定ステーションに供給する第二供給手段（３６）、
エネルギーを前記第一固定部位（１６）に集中して前記マルチストランド弾性糸を少なくとも一部分離層させる、前記固定ステーションに連結したエネルギー源（３８）、及び
前記第一ひだ付け可能基層（１２）の一部分に各第一固定部位で前記マルチストランド弾性糸のストランド（１８）の間を通過させる変位手段（３８）、
を備えている装置（３０）。
【請求項４７】
第一ひだ付け可能基層（１２）、第二ひだ付け可能基層（１２）及び前記ひだ付け可能基層に多数の第一固定部位（１６）で固定されたマルチストランド弾性糸（１４）を含んでなる伸縮性ウエブ（１０）を製造する装置（３０）であって、
固定ステーション（３２）、
前記第一ひだ付け可能基層（１２）を前記固定ステーションに供給する第一供給手段（３４）、
前記マルチストランド弾性糸（１４）に前記固定ステーションで張力がかかるように前記マルチストランド弾性糸を前記固定ステーションに供給する第二供給手段（３６）、
前記第二ひだ付け可能基層を前記固定ステーションに供給する第三供給手段（４０）、
エネルギーを前記第一固定部位（１６）に集中して前記マルチストランド弾性糸を少なくとも一部分離層させる、前記固定ステーションに連結したエネルギー源（３８）、及び
前記第一ひだ付け可能基層及び／又は前記第二ひだ付け可能基層の一部分に各第一固定部位で前記マルチストランド弾性糸のストランド（１８）の間を通過させる変位手段（３８）、
を備えてなり、そして前記第一、第二及び第三の供給手段が、前記マルチストランド弾性糸に前記第一及び第二のひだ付け可能基層の間を通過させるように作動する装置（３０）。
【請求項４８】
前記エネルギー源（３８）が加圧手段及び／又は熱発生手段を備えている請求項４６又は４７に記載の装置（３０）。
【請求項４９】
前記加圧手段及び／又は熱発生手段が超音波のエネルギー源を含んでいる請求項４８に記載の装置（３０）。
【請求項５０】
前記変位手段（３８）が前記エネルギー源を含んでいる請求項４６〜４９のいずれか一つに記載の装置（３０）。
【請求項５１】
前記固定ステーション（３２）が前記第一ひだ付け可能基層（１２）に対面するパターン面（４２）を備えている請求項４６〜５０のいずれか一つに記載の装置（３０）。
【請求項５２】
前記パターン面（４２）が隆起ヒール（４４）を備え、前記ヒールが前記エネルギー源（３８）と協働して前記第一固定部位（１６）を生成する請求項５１に記載の装置（３０）。
【請求項５３】
前記隆起ヒール（４４）が各々、０．００２５ｍｍ２〜０．２５ｍｍ２、好ましくは０．００６４ｍｍ２〜０．０９ｍｍ２、より好ましくは０．００８１ｍｍ２〜０．０４ｍｍ２、そして最も好ましくは０．００８１ｍｍ２〜０．０２２５ｍｍ２の溶接面（４６）を提供する請求項５２に記載の装置（３０）。
【請求項５４】
前記隆起ヒール（４４）が、０．１ｍｍ〜１．０ｍｍ、好ましくは０．１ｍｍ〜０．５ｍｍ、最も好ましくは０．１５ｍｍ〜０．２５ｍｍの間隔を取って配置されている請求項５２又は５３に記載の装置（３０）。
【請求項５５】
前記隆起ヒール（４４）の高さが、０．０５ｍｍ〜２．０ｍｍ、好ましくは０．１ｍｍ〜１．０ｍｍ、最も好ましくは０．１ｍｍ〜０．５ｍｍである請求項５２〜５４のいずれか一つに記載の装置（３０）。
【請求項５６】
前記固定ステーション（３２）が周囲面を有する回転ドラムを備えている請求項４６〜５５のいずれか一つに記載の装置（３０）。
【請求項５７】
前記周囲面が請求項５０の前記パターン面（４２）に相当する請求項５５に記載の装置（３０）。
【請求項５８】
前記第二供給手段（３６）が周囲面（５０）を有する案内ローラ（４８）を備え、前記案内ローラが前記回転ドラム（３２）に実質的に平行に配置されている請求項５６又は５７に記載の装置（３０）。
【請求項５９】
前記案内ローラ（４８）の前記周囲面（５０）に、円周方向に延びる複数の案内溝が設けられている請求項５８に記載の装置（３０）。
【請求項６０】
前記第二供給手段（３６）が、マルチストランド弾性糸（１４）を前記回転ドラム（３２）に対して軸方向に変位させる軸方向変位手段を備えている請求項５８又は５９に記載の装置（３０）。
【手続補正２】
【補正対象書類名】明細書
【補正対象項目名】００２５
【補正方法】変更
【補正の内容】
【００２５】
基層の「一部分」を構成するものは基層の材料によって決まる。基層が繊維状材料で製造される場合、上記弾性糸のストランドの間を通過する基層の上記一部分は単に基層のいくつかの繊維である。第一ひだ付け可能基層は熱で結合可能な材料で構成されている方が好ましい。このような場合、第一ひだ付け可能基層の一部分はその基層の溶融される成分で構成されている。ひだ付け可能基層の熱で結合可能な材料は、ポリエステル、ポリプロピレン、ポリエチレンなどで製造されたスパンボンド、乾式，湿式、水絡合式、ニードル式、カード式又はメルトブロー式の不織材料からなる群から有利に選択される。あるいは上記熱で結合可能な材料は、混合されているか又は層の形態のポリマーの組合わせでもよい。好ましくはポリエチレンで覆われたポリプロピレンの繊維又はポリプロピレン／ポリエチレンのサイドバイサイド繊維である二成分繊維も使用できる。